(57)【要約】【課題】  反射部材の内部が球通路となっている構成において、球通路の背後に発光体を配置することなく反射部材を電飾して、その効果を高めることである。【解決手段】        遊技機において、内周面に半反射加工が施され、上部及び下部にそれぞれ球入口２１及び球出口２２が形成されて、全体が筒状となった反射筒（反射部材）Ｄと、該反射筒Ｄの天井面又は底面に点灯状態が制御可能にして配置される発光体ユニットＵとを備え、前記発光体ユニットＵから発せられる光の一部を反射筒Ｄの内周面の反射面で繰り返して反射させた反射光で装飾された前記反射筒Ｄの内部を、前記球入口２１から入った球Ｂが通過可能とする。【選択図】        図３
2005095321.tif 000002
【特許請求の範囲】
【請求項１】
内周面に半反射加工が施され、上部及び下部にそれぞれ球入口及び球出口が形成されて、全体が筒状となった反射部材と、該反射部材の天井面又は底面に点灯状態が制御可能にして配置される発光体ユニットとを備え、
前記発光体ユニットから発せられる光の一部を反射部材の内周面の反射面で繰り返して反射させた反射光で装飾された前記反射部材の内部を、前記球入口から入った球が通過可能にしたことを特徴とする遊技機。
【発明の詳細な説明】
【技術分野】
【０００１】
本発明は、内部が球通路となって全体が電飾された反射部材を備えた遊技機に関するものである。
【背景技術】
【０００２】
例えば、パチンコ機において、遊技球（以下「球」という）の通過部を電飾（ＬＥＤ等の発光体からの光により装飾すること）する構造として、特許文献１、同２に開示されているように、従来より種々のものが提案されている。これらに共通している構成としては、球通路の背面側に発光体を配置し、必要に応じて、特許文献１のように球通路の前面にハーフミラー加工（光を全反射させずに、一部の光は透過可能な加工）を施した前板を配置して、光により球通路を装飾する構造のものであった。特許文献１に開示のものは、前記発光体からの光の一部を透過させると共に、透過しなかったものは、前記前板で反射させて光を交差させることにより、電飾効果を高めようとしている。
【０００３】
しかし、上記の電飾構造では、球の背面側に発光体が配置されていて、発光体の前面を球が通過する際に、発光体が球により覆われるために、一時的に発光体からの光が遮蔽されて、球の背後又は周辺に影が発生する等して、装飾効果が減ぜられるという問題があった。
【０００４】
一方、パチンコ機では、回転体の内部を球の通路とする構成があるが、このような回転体は、回転機構に起因する球の動きに関連する面白さを除いて他の面白さを遊技者に与えることはなかった。
【特許文献１】特開２００２−３１５８８０号公報
【特許文献２】特許第２７７３０３５号公報
【発明の開示】
【発明が解決しようとする課題】
【０００５】
本発明は、反射部材の内部が球通路となっている構成において、球通路の背後に発光体を配置することなく反射部材を電飾して、その効果を高めることを課題としている。
【課題を解決するための手段】
【０００６】
上記の課題を解決するための第１解決手段は、遊技機において、内周面に半反射加工が施され、上部及び下部にそれぞれ球入口及び球出口が形成されて、全体形状が筒状となった反射部材と、該反射部材の天井面又は底面に点灯状態が制御可能にして配置される発光体ユニットとを備え、前記発光体ユニットの発光体から発せられる光の一部を反射部材の反射面で繰り返して反射させた反射光で装飾された前記反射部材の内部を、球入口から流入した球が通過可能にしたことを特徴としている。
【０００７】
第１解決手段によれば、反射部材の天井面又は底面に配置された発光体ユニットの発光体から発せられた光の一部は、反射部材の内周面の半反射加工された部分を透過して外から視認可能となると共に、透過しなかった残りの光は、反射部材の反射面（内周面）で反射して、前記反射面における対向面を照射する。前記対向面に照射された光は、上記と同様にして、その一部が外部に透過すると共に、残りは同様に反射し、反射部材の内部において上記現象が繰り返される。上記現象を遊技者の側から見ると、一つの発光源からの光が反射部材の内部で反射を繰り返すことにより、複数の点光として認識される結果、反射部材の内部に恰も複数の発光体が配置されているかのように認識されて、反射部材の装飾効果が高められる。上記現象により装飾された反射部材の上部の球入口から内部に流入した球が反射部材の内部の球通路を落下により通過しても、通過する球の背後に発光体が配置された構成ではないので、球の通過によっても影が発生しないために、装飾効果が減じられることはない。むしろ、反射部材の内部の反射光が落下途中の球により反射されることにより、反射部材内における乱反射が一層激しくなって、落下球が存在しない場合よりも装飾効果が高められる。
【０００８】
また、第２解決手段は、第１解決手段において、前記反射部材は、回転駆動手段により回転されることを特徴としている。第２解決手段によれば、発光体からの光が内周面の反射面で乱反射されて装飾された反射部材が回転するために、光の乱反射による装飾と反射部材の回転による装飾とが相乗して、装飾効果が倍増される。
【０００９】
また、第３解決手段は、第１又は第２の解決手段において、前記反射部材は、少なくともその内周面が傾斜状になっていることを特徴としている。第３解決手段によれば、反射部材の少なくとも内周面が傾斜状であるために、発光体からの光が反射され易くなると共に、発光体からの光が反射部材の内周面である反射面で順次反射される場合に、その反射角が順次小さくなる。この結果、発光体からの光の反射回数が多くなると共に、発光体から下方又は上方に向けて発せられる光が反射毎に水平に近くなるため、反射部材の内部から反射面で反射されることなく直接に下方又は上方に向けて進む光の割合が少なくなって、内部の照度が高まる。これによっても、反射部材の装飾効果が高められる。
【００１０】
また、第４解決手段は、第１ないし第３のいずれかの解決手段において、前記発光体ユニットは、前記反射部材の中心軸から離れた位置で、発光色の異なる複数の発光体が略同一円周上に配置された構成であることを特徴としている。第４解決手段によれば、発光色の異なる各発光体を順次点滅させると、異なる色の反射光が周方向に沿って順次点滅するため、反射部材が恰も回転しているように認識されて、装飾効果が高められる。
【００１１】
また、第５解決手段は、第１ないし第４のいずれかの解決手段において、前記反射部材の上部の球入口に流入する球を転動させるために、前記球入口に通じるように配置された球転動体と、前記反射部材の下方に配置されて、反射部材の中心軸に対してずれた位置を中心にし、そのずれ量を回転半径として回転し、前記反射部材に対して特定位置関係に達することにより、前記反射部材の球出口から落下した球を受け入れる球受入れ体とを備えていることを特徴としている。
【００１２】
第５解決手段によれば、球受入れ体は、その一回転に対して一回だけ反射部材に対して特定位置関係に達して、反射部材の球出口から落下した球が受け入れ可能となるが、反射部材の球入口に入る球は球転動体上を転動していて、この転動状態によって球転動体上の球と球受入れ体との相対位置が変化して、球受入れ体に球が受け入れられる可能性（確率）が変化し、この可能性の変化が遊技の面白さとなる。
【００１３】
また、第６解決手段は、第５解決手段において、前記球受入れ体は、円板状の受皿に載せられたカップを模した形状であることを特徴としている。第６解決手段によれば、カップを模した形状の球受入れ体が大きく偏心配置された円板状の受皿の回転により、反射部材の直下にカップを模した球受入れ体が達した状態で、前記反射部材の球出口から落下した球が球受入れ体に収容されると、特定入賞となって遊技者に大きな特典が与えられる構成となるのに加えて、受皿上に偏心配置されたカップを模した球受入れ体が受皿の中心に対して回転する独自の面白さが加わって、遊技の趣興が高められる。
【発明の効果】
【００１４】
本発明によれば、反射部材の天井面或いは底面に配置された発光体ユニットを構成する一つの発光体（発光源）からの光が反射部材の内部で反射を繰り返すことにより、複数の点光として認識されるために、反射部材の内部に恰も複数の発光体が配置されているかのように認識される。このようにして全体が装飾された反射部材の上部の球入口から内部に入った球が、反射部材の内部の球通路を落下により通過しても、通過する球の背後には発光体が配置されていないために、球の通過によっても影が発生しないために装飾効果が全く減じられないのみならず、反射部材の内部の反射光が落下途中の球に反射されて、内部の光の乱反射が一層激しくなって、落下球が存在しない場合よりも装飾効果が高められる。
【発明を実施するための最良の形態】
【００１５】
以下、本発明を実施するための最良形態、及び他の形態を挙げて、本発明を更に詳細に説明する。図１は、本発明に係る球振分装置Ａを備えたパチンコ機の正面図であり、図２は、図１のＸ−Ｘ線断面図であり、図３は、装飾筐体２の内部に球振分装置Ａが配置された状態の斜視図であり、図４は、球振分装置Ａの分解斜視図である。図１ないし図４において、パチンコ機の遊技盤１の前面に形成された遊技領域１０の中央部には、装飾筐体２が遊技盤１よりも奥側に入り込んだ状態で配置され、前記装飾筐体２の内部に本発明に係る球振分装置Ａが配置されている。装飾筐体２の高さ方向の中央部の両側には、それぞれ第１入賞口３が配置され、装飾筐体２の下方には、複数個（実施形態では５個）の第２入賞口４が遊技面の左右対称線に対して対称に配置されている。また、装飾筐体２の斜上方には、それぞれ第１風車５が配置されていると共に、前記各第１入賞口３の直下には、第２風車６がそれぞれ配置されている。
【００１６】
また、装飾筐体２には、下室７と、該下室７よりも小さな上室８とが相上下して設けられ、装飾筐体２における上室８の左右の外側には、左右一対の球入口９がそれぞれ奥側に向けて設けられ、前記各球入口９に流入した球Ｂは、ワープ通路（図示せず）を経て前記装飾筐体２の仕切板部１１の上面に、左右両側の各球出口１２から流出されて上室８に収容される構成となっている。球出口１２は球入口９よりも奥側に配置され、各球入口９は、レバー１３の左右方向の回動により閉塞・開放される構成となっている。図１及び図３に示される状態は、各レバー１３が外方に回動されて各球入口９が開放され、球Ｂが流入可能な状態である。装飾筐体２の仕切板部１１は、左右方向及び前後方向の双方において中央部が最も低くなるように傾斜していて、仕切板部１１における左右方向及び前後方向の双方において中央部の最も低い部分には、球落下口１４が形成されている。球落下口１４は、図２で２点鎖線で示されるように、前後方向に配置された仕切レバー２０が水平となって左右に仕切られると、球Ｂの落下が不能となって、球Ｂは装飾筐体２の仕切板部１１の上面に滞留すると共に、前記仕切レバー２０が、図２で実線で示されるように、奥側の端部を支点として上方に回動すると、球落下口１４が開放されて球Ｂが落下可能となる。
【００１７】
また、装飾筐体２の下室７には、本発明に係る球振分装置Ａが配置されている。球振分装置Ａは、垂直な回転中心Ｃ1 を中心にして回転可能な反射筒Ｄ1 と、該反射筒Ｄ1 に流入される球Ｂを転動させるために、前記反射筒Ｄ1 の周囲を取り囲むように固定配置された皿状の球転動体Ｅとで構成される。反射筒Ｄ1 は、その全体形状が截頭逆円錐状をなしていて、上端の鍔部１５には、天板１８が一体に取付けられる。発光体ユニットＵは、円板状をした発光体取付板１６の裏面（下面）の外周に近い部分に、ＬＥＤ等から成る複数個（実施形態では８個）の発光体１７が周方向に沿って所定間隔をおいて下方を向けて取付けられ、前記発光体取付板１６が円盤状をした天板１８の裏面（下面）に一体に取付けられた構成である。天板１８は、反射筒Ｄ1 の鍔部１５に一体に取付けられて、発光体ユニットＵを構成する各発光体１７は、反射筒Ｄ1 の内部において下方を照射する。また、截頭逆円錐状をした反射筒Ｄ1 の内周面には、アルミ蒸着によりハーフミラー加工されたハーフミラー部１９（図１０参照）が形成されており、反射筒Ｄ1 の周面の対向部には、一対の球入口２１が形成されており、反射筒Ｄ1 の下端開口は、球出口２２となっている。反射筒Ｄ1 の形状が截頭逆円錐状となっているので、反射筒Ｄ1 の下端には、その形状によって球径に対応した球出口２２が形成される。なお、ハーフミラー部１９は、ハーフミラーシートを貼り付けることでも実現可能である。
【００１８】
図５は、球転動体Ｅに反射筒Ｄ1 が回転可能に支持された状態を示す断面図であり、図６は、図５のＹ−Ｙ線断面図である。図４ないし図６において、反射筒Ｄ1 は、固定配置された皿状の球転動体Ｅに回転可能に支持されている。反射筒Ｄ1 の外周面には、周方向に沿って一対の球入口２１と干渉せず、しかも上下方向に沿って球入口２１の下端部に近い位置に３個の支持体２３が水平に突設されている。一方、外周に鍔を有する皿状の球転動体Ｅの中央部には、反射筒Ｄ1 の下端部を挿入可能にするための円形の挿入孔２４が形成され、この挿入孔２４の臨む段差部２５には、リング状の軸受２６が配置され、皿状の球転動体Ｅの中央の挿入孔２４に反射筒Ｄ1 の下端部を挿入した状態で、その外周に突設された３個の各支持体２３は、リング状の前記軸受２６で支持される。
【００１９】
また、球Ｂが転動する皿状の球転動体Ｅの上面は、半割リング状をした別体の一対の上板２７を貼り付ける等して形成されていて、中心に向かうに従って低くなっている。即ち、皿状の球転動体Ｅの中央の挿入孔２４に反射筒Ｄ1 の下端部を挿入した状態で、球転動体Ｅの上面を一対の上板２７で覆うと、各上板２７の内周部２７ａ（図５参照）がリング状の軸受２６の上方に所定間隔をおいて配置されることにより、前記軸受２６が覆われると共に、反射筒Ｄ1 の外側の各支持体２３の浮き上がりも同時に防止される。これにより、反射筒Ｄ1 は、球転動体Ｅに対して回転可能に支持される。
【００２０】
また、反射筒Ｄ1 の上面開口を覆っている天板１８は、その外周面に歯が形成された歯車状になっていて、別の歯車２８，２９が順次噛合しており、歯車２９が駆動モータ３１により駆動回転されることにより、球転動体Ｅに支持されている反射筒Ｄ1 は連続回転される。なお、歯車状の天板１８の外周面の「歯」の表示は、図５を除いて図示を略してある。
【００２１】
また、装飾筐体２の仕切板部１１に形成された球落下口１４の直下には、球導管３２が配置されており、該球導管３２は、前記球落下口１４の直下に横方向に沿って略水平に配置された第１球導管部３２ａと、該第１球導管部３２ａの一端に連続していて、途中で内側に屈曲されることにより、その開口端が前記球転動体Ｅの上方に達している第２球導管部３２ｂと、前記第１球導管部３２ａの他端に連続していて、その開口端が装飾筐体２の下板の上方に達している第３球導管部３２ｃとの３つの各部分で構成される。よって、球落下口１４から第１球導管部３２ａに落下した球Ｂは、落下後において左右のいずれかに転動して、第２球導管部３２ｂの側に転動した場合には、該第２球導管部３２ｂに導かれて、球転動体Ｅの上面に排出落下されると共に、第３球導管部３２ｃの側に転動した場合には、該第３球導管部３２ｃに導かれて、装飾筐体２の下板３３の上面に排出落下される。
【００２２】
また、球振分装置Ａの下方には、僅かに手前側（遊技者の側）が低くなるように回転可能に配置された円板状の受皿３４の回転中心Ｃ2 に対してずれた位置にコーヒーカップを模した球受入れ体３５が載せられた構成のコーヒーセット装置Ｓが配置されている。コーヒーセット装置Ｓを構成する受皿３４の上面は、装飾筐体２の下板３３の上面と連続していて、受皿３４の手前側の一部のみが、装飾筐体２の前端面よりも手前側に突出している。図９に示されるように、受皿３４の回転中心Ｃ2 は、球振分装置Ａを構成する反射筒Ｄ1 の回転中心Ｃ1 に対して所定量（Ｋ）だけずれていて、受皿３４の１回転中において、該受皿３４に載せられた球受入れ体３５は、一度だけ反射筒Ｄ1 の球出口２２のほぼ直下に達するようになっており、この状態で、反射筒Ｄ1 の球出口２２から球Ｂが排出落下されると、該球Ｂは、球受入れ体３５内に落下収容される構成になっている。受皿３４の回転中心Ｃ2 と球受入れ体３５の中心Ｃ0 との距離は（Ｒ）〔Ｒ＜Ｋ〕であって、球受入れ体３５は、受皿３４の回転中心Ｃ2 を中心にして半径（Ｒ）で回転する。球受入れ体３５の底部には、球通過孔３６が形成されている。また、装飾筐体２の下板３３における特定位置（反射筒Ｄ1 の球出口２２のほぼ直下位置）には球通過孔３７が形成され、該球通過孔３７の直下に球Ｂの通過を検出する球通過検出センサ３８が配置されている。よって、反射筒Ｄ1 の球出口２２を通って球受入れ体３５内に落下した球Ｂは、直ちに各球通過孔３６，３７を通過し、この通過状態が前記センサ３８で検出される構成となっている。なお、図１において３９は、入賞口に入賞しなかったアウト球を回収するためのアウト口を示し、図２において４１は、遊技盤１の前面のガラス板を示す。
【００２３】
そして、球転動体Ｅに回転可能に支持された反射筒Ｄ1 がモータ３１により所定方向に連続回転された状態で、反射筒Ｄ1 の天板１８の裏面に取付けられた複数個の発光体１７から下方に向けて発光されている。各発光体１７は、装飾効果を高めるためにそれぞれ発光色が異なっていることが望ましく、各発光体１７の「点灯状態」は制御されている。例えば、複数個の発光体１７は、所定時間毎に一個おきに順次発光させ、後述の「当り」となった場合には、遊技を盛り上げるために各発光体１７を一斉に点滅させたり、更に点灯しているが、その輝度を変化させる等の制御である。各発光体１７から発せられる光は、図１０（イ）に示されるように、その一部が反射筒Ｄ1 の内周面のハーフミラー部１９を透過して外部から視認可能になると共に、透過しなかった残りの光は、ハーフミラー部１９で反射して、ハーフミラー部１９の対向面を照射する。更に、ハーフミラー部１９の対向面を照射した光の一部は外部に透過して、残りの光が同様に反射する現象が繰り返される。即ち、複数の発光体１７から発せられる無数の光線が反射筒Ｄ1 の内部で乱反射すると共に、異なる色の無数の反射光線が反射筒Ｄ1 の内部に交差し、しかも図１１に示されるように、反射筒Ｄ1 の回転により遊技者に認識される光の色が順次変化することにより、独特の装飾効果が奏される。上記現象を遊技者の側から見ると、一つの発光源からの光が反射筒Ｄ1 の内部で反射を繰り返すことにより、複数の点光として認識される結果、反射筒Ｄ1 の内部にも恰も複数の発光体が配置されているかのように認識される。このような、反射筒Ｄ1 内における発光体１７の光の乱反射による上記装飾効果と、反射筒Ｄ1 の回転による装飾効果とが相乗して、独自の電飾が演出される。
【００２４】
上記現象により装飾された反射筒Ｄ1 の側面の球入口２１から内部に入った球Ｂが、反射筒Ｄ1 の内部の球通路３０（図２参照）を落下により通過しても、通過する球Ｂの背後に発光体が配置された構成ではないので、球Ｂの通過によっても背後、或いは周辺に影が発生しないために、装飾効果が減じられない。逆に、図１０（ロ）に示されるように、反射筒Ｄ1 の内部の反射光が落下途中の球Ｂの球面により種々の方向に反射されることにより、反射筒Ｄ1 内における乱反射が一層激しくなって、落下球が存在しない場合よりも装飾効果が高められる。
【００２５】
そして、遊技領域１０に放たれた球Ｂが装飾筐体２の上室８の両側のいずれかの球入口９に流入して、ワープ通路を経て球出口１２から仕切板部１１の上面に流出して、仕切レバー１３が上方に回動して球落下口１４が開放された状態であると、仕切板部１１の上に流出して転動している球Ｂは、最も低い球落下口１４の部分に達して、該球落下口１４に落下して第１球導管部３２ａに収容される。第１球導管部３２ａに落下収容された球Ｂは、その収容状態によって左右のいずれかに転動する。第２球導管部３２ｂの側に転動した場合には、該第２球導管部３２ｂに導かれて、球転動体Ｅの上面に排出落下されると共に、第３球導管部３２ｃの側に転動した場合には、該第３球導管部３２ｃに導かれて、装飾筐体２の下板３３の上面に排出落下される。球転動体Ｅの上面に排出落下された球Ｂは、球転動体Ｅの上面を受皿３４の中心である反射筒Ｄ1 の側に向けて転動して、回転中の反射筒Ｄ1 の外周面に接して滞留し、反射筒Ｄ1 の球入口２１の位置に達した場合に、反射体Ｄ1 の内部に流入する。一方、装飾筐体２の下板３３の上面に排出落下された球Ｂは、前記下板３３の前端から、或いは回転中の球受入れ体３５の受皿３４上に転動して、該受皿３４から再度遊技領域１０に放出される。なお、受皿３４上を転動する球Ｂは、再度遊技領域１０に放出させることなく、入賞室内に設けられた一般入賞口に入賞させて、遊技者に利益を与える構成にしてもよい。
【００２６】
また、反射筒Ｄ1 の周囲に固定配置された球転動体Ｅの上面を反射筒Ｄ1 の側に向けて転動して、反射筒Ｄ1 の外周面に接している球Ｂは、反射筒Ｄ1 の回転により球入口２１と合致すると、該球入口２１を通って、上述したように、内部において多数の発光体１７の乱反射により全体が装飾された反射筒Ｄ1 の内部の中空部に入り込んだ後に落下する。そして、図７、図８（イ）及び図９（イ）に示されるように、反射筒Ｄ1 の球出口２２のほぼ直下に、回転中の受皿３４に載せられた球受入れ体３５が達していると、反射筒Ｄ1 の球出口２２から排出された球Ｂは、ほぼ直下の球受入れ体３５内に落下収容された後に、球受入れ体３５の球通過孔３６及び装飾筐体２の下板３３の球通過孔３７を通ってセンサ３８の球通過部３８ａを通過する。センサ３８が球Ｂの通過を検出すると「当り」となって、遊技者に大きな特典が与えられる。例えば、球Ｂがセンサ３８を通過することにより、所定数の賞球が払い出されるのに加えて、前記レバー１３が所定時間だけ外方に回動して停止することにより、左右一対の球入口９が所定時間だけ開放されて入賞し易くなる等である。また、扉板が手前側に倒れて入賞し易くなる「大入賞口装置」を備えたパチンコ機においては、球受入れ体３５が「始動口」となって、これに球が落下収容されることにより前記「大入賞口装置」が設定回数だけ作動するように構成してもよい。いずれの場合でも、球受入れ体３５内に球Ｂが落下収容されて「当り」となった場合には、複数の発光体１７の全てを一斉に点滅させたり、或いは反射筒Ｄ1 の回転速度を速くする等して、遊技を盛り上げるようにすることが好ましい。このように、反射筒Ｄ1 の球入口２１の周囲に球転動体Ｅを配置すると、該球転動体Ｅ上で球Ｂを転動している間において、反射筒Ｄ1 のほぼ直下に球受入れ体３５が達するタイミングと、球転動体Ｅ上を転動する球Ｂが反射筒Ｄ1 の球入口２１に入るタイミングとが微妙にずれて、反射筒Ｄ1 の球出口２２から落下した球Ｂが球受入れ体３５に受け入れられる確率が変化することに起因する遊技の面白さが増す。
【００２７】
一方、図８（ロ）及び図９（ロ）に示されるように、反射筒Ｄ1 の球出口２２のほぼ直下に、回転中の受皿３４に載せられた球受入れ体３５が達していない場合には「外れ」であって、反射筒Ｄ1 の球出口２２から流出した球Ｂは、球受入れ体３５の受皿３４上に落下し、受皿３４上を転動した後に再度遊技領域１０に放たれる。
【００２８】
また、上記実施形態では、反射筒Ｄ1 が回転駆動手段であるモータ３１により駆動回転される構成であって、反射筒Ｄ1 内における発光体１７からの光の乱反射と反射筒Ｄ1 の回転とが相乗して、電飾効果が高められる利点があるが、本発明においては、反射筒Ｄは停止していて、反射筒Ｄ1 内における発光体１７からの光の乱反射のみによっても電飾可能である。
【００２９】
また、上記実施形態では、配置状態で逆円錐状をした反射筒Ｄ1 の天板１８の裏面に複数の発光体１７を下方に向けて取付けた構成であるが、配置状態で円錐状をした反射筒の底板に複数の発光体を上方に向けて取付けて、発光体からの光が円錐状の反射筒の内周面で反射される構成にしてもよい。この構成においては、配置状態で円錐状をした反射筒の底板に球出口が設けられると共に、底板に取付けた発光体は、球と衝突する恐れがあるので、カバーで覆う必要がある。また、側面に球入口が、底面に球出口がそれぞれ形成されて、内部で光を乱反射させる反射部材の形状に関しては、内部における光の乱反射の観点から見ると、上記実施形態のように逆円錐形のものが最良形状であるが、多角錐状であっても可能である。
【００３０】
また、本発明における反射部材の形状に関しては、発光体からの光が内周面で反射されることが必要であるので、外周面の形状はいかなるものであってもよいが、少なくとも内周面が傾斜していることは必要である。このため、図１２に示されるように、他の反射筒Ｄ2 として、上半部が截頭円錐形で、下半部が逆截頭円錐形となったものを合体させた形状にして、反射筒Ｄ2 の底板４２に発光体ユニットＵを配置した構成にすることも可能である。この場合には、底板４２に取付けた発光体ユニットＵの光は、反射筒Ｄ2 の上半部の内周の反射面で乱反射される。
【００３１】
また、反射部材に形成される球入口及び球出口は、反射部材の上部及び下部にそれぞれ形成されておればよく、上記実施形態のように、反射筒Ｄ1 の側面、及び底面にそれぞれ球入口２１及び球出口２２が形成される必要はない。例えば、図１２に示される反射筒Ｄ2 のように、その上端開口を球入口４３とすることもでき、前記実施形態において、天板１８をリング状にして、その中央開口を球入口とすることもできる。更に、球出口に関しても、反射筒の側面の下端に近い部分に形成することも可能である。なお、図１２おいて、４４は球出口を示し、４５は、発光体１７を覆っているカバーを示す。
【００３２】
また、反射部材の内周面に入射した光の全てを反射させることなく、一部を反射させて、残りの光はそのまま透過させる半反射構造としては、上記したハーフミラー構造に限られず、プリズムシートを貼り付けたプリズム構造でも実現可能である。
【００３３】
また、本発明で使用される「発光体」は、ＬＥＤのように指向性の高いものが反射体での乱反射を認識し易いので好ましい。また、ＬＥＤのように指向性の高い発光体の場合には、光の反射割合を高めるために、天板又は底板に対して発光体は、反射体の内周面の側を向くように外側に傾斜して取付けることが好ましい。
【図面の簡単な説明】
【００３４】
【図１】本発明に係る球振分装置Ａを備えたパチンコ機の正面図である。
【図２】図１のＸ−Ｘ線断面図である。
【図３】装飾筐体２の内部に球振分装置Ａが配置された状態の斜視図である。
【図４】球振分装置Ａの分解斜視図である。
【図５】球転動体Ｅに反射筒Ｄ1 が回転可能に支持された状態を示す断面図である。
【図６】図５のＹ−Ｙ線断面図である。
【図７】本発明に係る球振分装置Ａと、その下方に配置されたコーヒーセット装置Ｓとの斜視図である。
【図８】（イ），（ロ）は、それぞれ反射筒Ｄ1 から落下された球Ｂが球受入れ体３５に収容される状態、及び収容されない状態の斜視図である。
【図９】（イ），（ロ）は、それぞれ反射筒Ｄ1 から落下された球Ｂが球受入れ体３５に収容される状態、及び収容されない状態の平面図である。
【図１０】（イ）は、反射筒Ｄ1 内における光の乱反射を示す断面図であり、（ロ）は、反射筒Ｄ1 の内部に通過中の球Ｂが存在する場合における光の乱反射を示す断面図である。
【図１１】反射筒Ｄ1 が光装飾された状態を示す模式的斜視図である。
【図１２】他の反射筒Ｄ2 の断面図である。
【符号の説明】
【００３５】
Ａ：球振分装置
Ｂ：遊技球
Ｄ1 ，Ｄ2 ：反射筒（反射部材）
Ｅ：球転動体
Ｓ：コーヒーセット装置
Ｕ：発光体ユニット
９：球入口
１２：球出口
１７：発光体
１９：ハーフミラー部
２１：球入口
２２：球出口
３０：球通路
３１：モータ（回転駆動手段）
３４：受皿
３５：球受入れ体
【図１】
2005095321.tif 000003
【図２】
2005095321.tif 000004
【図３】
2005095321.tif 000005
【図４】
2005095321.tif 000006
【図５】
2005095321.tif 000007
【図６】
2005095321.tif 000008
【図７】
2005095321.tif 000009
【図８】
2005095321.tif 000010
【図９】
2005095321.tif 000011
【図１０】
2005095321.tif 000012
【図１１】
2005095321.tif 000013
【図１２】
2005095321.tif 000014